(57)【要約】  本発明はプラスチック、金属、合成樹脂、合成ゴムの中の何れか一つ以上の材質で作られた携帯電話スマートケースであって、多数の必要通孔を適切に備え、収容対象携帯電話の発信部及び受信部と調和乃至対応する位置によってスマートケース内に入力マイク及び出力スピーカーを配置挿入し、録音装置と連結可能な配線貫通部及び突起などを備え、操作ボタンが備えられた外装メモリーカードを保存媒体とする録音装置を収容し、コネクター延長電源プラグを利用して携帯電話のコネクターを通じて録音装置運用に必要な電力を得、一方、堅固な結合状態を保持する状態で、延長コネクター部を利用して携帯電話の充電−ＰＣデータ送受信ケーブルの接続が可能なスマートケースに関するものである。
2015521814.tif 000002
【特許請求の範囲】
【請求項１】
携帯電話を収容するスマートケース本体（２１）と；
前記スマートケース本体部（２１）に収容されて組み立てられ、携帯電話コネクター部（１３）と電気的に連結されて電力が供給される録音装置（３１）と；
前記携帯電話コネクター部（１３）に挿入され、突出挿入端子（５４）と陷沒収容端子（５５）が対応され、一側外面に電極板（５３）が配置された分離可能なコネクター延長電源プラグ（５１）と；
スマートケース（２１）の外面まで延長して形成された延長コネクター部（５６）と；を含み、
前記コネクター延長電源プラグ（５１）の電極板（５３）が録音装置（５１）の底面一側に配置された電源端子（３３）と摺動可能に接して、前記録音装置（５１）の電力をえ、  
一方、携帯電話（１１）とスマートケース（２１）とが結合を保持する状態で、前記延長コネクター部（５６）を利用して携帯電話の充電−ＰＣデータ送受信ケーブルの接続が可能であることを特徴とする、外部音録音及び通話内容録音が可能で着脱可能な携帯電話スマートケース。
【請求項２】
前記携帯電話スマートケースは、
プラスチック、金属、合成樹脂、合成ゴムの中の何れか一つ以上の材質で作られた構造体であり、
携帯電話（１１）収容部、録音装置（３１）及びサウンド入出力システム（４１）挿入部、延長コネクター部（５６）及びメモリーカード挿入部（６９）、携帯電話（１１）と録音装置（３１）の使用に必要な多数の通孔（２２）を含むことを特徴とする、請求項１に記載の外部音録音及び通話内容録音が可能で着脱可能な携帯電話スマートケース。
【請求項３】
前記録音装置は、
携帯電話発信部（１６）と調和される第１入力マイク（４２）、携帯電話受信部（１７）と対応する第２入力マイク（４３）、携帯電話受信部（１７）と調和される出力スピーカー（４４）、及び前記入力マイク及び出力スピーカーが連結される配線（４５）で構成されたサウンド入出力システム（４１）と連結され、
個別的に入出力ボリューム調整が可能な調整部及び作動ボタン部（３４）、ディスプレー部（３７）、前記コネクター延長電源プラグ電極板（５３）と対応する電源端子（３３）、外装型メモリーカード挿入部（３８）を含んで構成され、携帯電話電源のみを利用して作動することを特徴とする、請求項２に記載の外部音録音及び通話内容録音が可能で着脱可能な携帯電話スマートケース。
【発明の詳細な説明】
【技術分野】
【０００１】
本発明は録音機能を有する携帯電話ケースに関するもので、より詳しくは、携帯電話自体に録音機能及び通話録音機能がなかったり、或いはあってもその使用方法が直観的ではない携帯電話を対象として、携帯電話の使用時、能率向上に重点を置いた録音システムと携帯電話保護ケース、別途の独創的な電源システムを組み合わせた構造体に関するものである。
【背景技術】
【０００２】
最近発売されるスマートフォンは、タッチスクリーンなど便利なハードウェアの特徴から豊富なソフトウェアなどを利用することができる体制を基盤にして、使用者の便利のために持続的に発展していることが分かる。
【０００３】
このような技術の発展方向とは大した関係がないように見える私たちが使っている古くて便利な機能の中、録音機能は大部分の携帯電話に発売時から内蔵されている比較的代表的な機能であると言える。
【０００４】
また、グローバルスマートフォンを製造する企業の中で韓国の三星のような企業では電話中録音機能を発売時から器機内に内蔵して自国使用者の便利を図っている。
【０００５】
しかし、アイホンのように本社が外国にある携帯電話製造業社は、最初から電話中録音機能がない。
【０００６】
これはアイホンの製造社であるアップルが所在するアメリカの一部の州では、相手の同意なしの通話録音を通信法などで規制しているからである。
【０００７】
全世界的に通信法などの規制対象国家等が多く、グローバルスマートフォンを製造する企業の中で自国の通信法上電話中録音機能の内蔵に問題がないとしても海外に輸出する際には同じく本機能を取り除いた状態で輸出する場合が多い。
【０００８】
比較的通信法上自律的な国家等の使用者は、必ず必要な代表機能がないことから器機変更を図るなど費用の無駄使いが多いとともに、器機をハッキングするなど２次的な社会的問題を引き起こす場合も多い。
【０００９】
このような問題点を克服するために、録音機能ソフトウェアが別途に開発されて発売されているが、極少数であり、これさえ手続きが厳しく、利用する際に発生する料金負担はより良い未来を追い求めている技術の方向と制度的な次元との間で発生した深刻な問題要因であると言える。
【発明の概要】
【発明が解決しようとする課題】
【００１０】
本発明は上述した従来の携帯電話などの問題点を克服し、その利用上の便利と能率を極大化するために提案されたもので、収容対象携帯電話の外形によるケース形式で製作して、相対的に高い価値の携帯電話を保護するとともに、携帯電話とＰＣとの間のデータの送受信及び携帯電話の充電ケーブルの接続など携帯電話本来の機能の保持に差し支えなく日常的な録音メモ及び通話中録音機能を付加して、より高い能率向上を提供することにその目的がある。
【課題を解決するための手段】
【００１１】
上記目的を達するための本発明は、プラスチック、金属、合成樹脂、合成ゴムの中の何れか一つ以上の材質で作られた構造体であって、携帯電話の使用に必要な多数の通孔を適切に備え、収容対象携帯電話の発信部及び受信部に調和し、対応する位置に入力マイクと出力スピーカーを配置して挿入し、内部に配線可能な貫通部及び突起などを備え、外装メモリーカードを保存媒体とし、操作ボタンが備えられている録音装置を収容するが、携帯電話のコネクターを利用して、録音装置の運用に必要な電力を得る一方、携帯電話の充電及びＰＣとのデータ交流などの機能を保持するために、携帯電話コネクターを外部まで延長して露出されるようにする別途のシステムを備えた構造形式を特徴とする携帯電話スマートケースを提供する。
【発明の効果】
【００１２】
本発明による録音機能を有する携帯電話スマートケースは、携帯電話を収容した状態で外部からの衝撃を緩和し、使用者の不注意による毀損及び破損を防止する効果を奏し、上部表面に露出された直観的な操作ボタン部とディスプレーを通じて音声メモ及び通話録音がより迅速であり、且つデータの管理が容易で、充電池などの作動に必要な別途の電源を要しない録音装置を利用することによって、電源切れなどによって発生する不安要素を取り除いて、データの保存に対する期待信頼が高くなり、携帯電話とＰＣとの間のデータ送受信及び携帯電話の充電ケーブルの接続時、携帯電話ケースと分離しなければならないという不便が発生し、頻繁な着脱による器機損傷などの虞がなく、器機的な特性上頻繁に発生するコネクター連結部位の損傷において、分離可能なコネクター延長電源プラグを利用することによって、器機的耐性による追加的なメンテナンス費用の負担が少なく、別途の汎用保存媒体を利用することによって、コンピューターなど多様な器機との互換性及びデータの管理能力を向上させるとともに、器機損傷により発生されるデータ保護能力を極大化する効果を奏する。
【図面の簡単な説明】
【００１３】
【図１ａ】本発明の一実施例によるスマートケースと携帯電話の分離状態を示す斜視図である。
【図２ａ】本発明の一実施例によるスマートケースの分離状態を示す斜視図である。
【図３ａ】本発明の一実施例によるスマートケース内の収容対象携帯電話によるマイク及びスピーカーの配置状況を示す斜視図である。
【図４ａ】本発明の一実施例によるスマートケース内のサウンド入出力システム及び録音装置の結合を示す下部斜視図である。
【図５ａ】本発明の一実施例によるスマートケース内の録音器機とコネクター延長電源プラグのドッキング状態及び拡大して示す左側面図である。
【図６ａ】本発明の一実施例による２つのコネクター延長電源プラグを拡大して示した斜視図である。
【図７ａ】本発明の一実施例によるスマートケースと携帯電話の好ましい結合過程を示す斜視図である。
【図７ｂ】本発明の一実施例によるスマートケースと携帯電話の好ましい結合状態を示す斜視図である。
【発明を実施するための形態】
【００１４】
以下添付された図面を参照して本発明の好ましい実施例を詳しく説明する。
【００１５】
添付された図面は尺度によって図示せず、各図面の同じ参照番号は同じ構成要素を示す。
【００１６】
また、本発明を説明する際に、係わる公知構成または機能に対する具体的な説明が本発明の要旨を曖昧にすることができると判断される場合にはその詳細な説明は省略する。
【００１７】
まず、図７ａで示すように、一面が開放された長方形構造体で、携帯電話を収容し、図１ａで示すように、コネクター延長電源プラグ５１がスマートケース２１の挿入部５９に挿入されると同時に、携帯電話コネクター部１３に挿入されて電気的に結合される。
【００１８】
一方、図５ａに示すように、録音装置３１の底面一側に配置された電源端子３３と上記コネクター延長電源プラグ５１の上端に配置された電極板５３とが摺動可能に接することによって、録音装置３１の動作可能な電力が得られる。それによって、携帯電話１１とスマートケース２１が電気的に堅固な結合状態を成すとともに、図２ａに示している螺子釘７１を用いて物理的にも堅固な結合状態を成す。
【００１９】
具体的に、上記コネクター延長電源プラグ５１は、図６ａに示すように、突出挿入端子５４と延長コネクター部５６の陷沒収容端子５５が対応され、一側外面に電極板５３が配置された一つの構造体である。
【００２０】
また、図１ａのように、携帯電話１１とスマートケース２１との結合が完了されると、携帯電話の充電−ＰＣデータ送受信ケーブルの接続が可能になるように、上記コネクター延長電源プラグ５１を通じて携帯電話コネクター部１３がケース外面まで延長されて露出される。
【００２１】
図１ａを通じてスマートケース２１の外形を説明すると、携帯電話を使用する際、露出部位などを考慮した多数の必要通孔部２２とコネクター延長電源プラグ挿入部５９及びメモリーカード挿入部６９が配置されている。
【００２２】
図１ａ、図４ａ及び図７ｂを通じて上記スマートケース２１内に挿入される録音装置３１を説明すると、録音装置電源端子３３、電源スイッチ及びサウンド入出力システムの個別的ボリューム調整が可能であるとともに、録音など装置の作動に必要な録音ボタン、再生ボタン、メニューボタンなどからなる作動ボタン３４、データ状況を容易に把握することができるＬＣＤなどのディスプレー部３７、収容対象携帯電話１１の通話及びデータを聞く際に必要なサウンドグリル通管部３６、データを保存する際に必要な録音装置のメモリーカード挿入部３８で構成されるが、充電池等の電池挿入部は別途に含まれないように構成されている。
【００２３】
また、図４ａで示すように、上記録音装置３１と連結されるサウンド入出力システム４１の配置状況をより綿密に説明すると、図３ａ及び図４ａを通じて示したように、収容対象携帯電話発信部１６と調和される第１入力マイク４２、収容対象携帯電話受信部１７と対応される第２入力マイク４３及び調和する出力スピーカー４４が挿入され、上記入出力システムと録音装置３１との間の連結に必要な入出力システムの配線４５で構成される一つのシステムであることが分かる。
【００２４】
このような構成を有する本提案の内容の中で省略された内容は変形可能な内容で、本発明の特許請求の範囲内に含まれるものと解釈すべきである。
【００２５】
例えば、収容状態を堅固にするために、ロックキング装置の他の方法や、ケース内部の携帯電話の収容面に摩擦系数を高めることができる代案処理などをすることや、汎用保存メモリーカード６１の種類を異なるようにするが、従来技術において比較的普遍化された録音装置の仕様及びデザインなどは別途に例示しなくても可能な部分であるでしょう。
【００２６】
以上の説明は本発明の技術思想を例示的に説明したものに過ぎないので、本発明が属する技術分野において通常の知識を有する者であれば本発明の本質的な特性から逸脱しない範囲で多様な修正及び変形が可能である。
【００２７】
従って、本発明に開示された実施例は本発明の技術思想を限定するのではなく説明するためのものであって、このような実施例よって本発明の技術思想の範囲が限定されるのではない。
【００２８】
本発明の保護範囲は以下の特許請求の範囲によって解釈されるべきであり、それと同等な範囲内にある全ての技術思想は本発明の権利範囲に含まれるものに解釈されるべきである。
【符号の説明】
【００２９】
１１：携帯電話本体  
１３：携帯電話コネクター部  
１６：携帯電話発信部  
１７：携帯電話受信部  
２１：スマートケース本体  
２２：必要通孔
３１：録音装置  
３３：録音装置電源端子  
３４：録音装置作動ボタン  
３６：サウンドグリル通管部  
３７：録音装置ディスプレー部  
３８：録音装置メモリーカード挿入部  
４１：サウンド入出力システム  
４２：第１入力マイク  
４３：第２入力マイク  
４４：出力スピーカー  
４５：サウンド入出力システム配線  
５１：コネクター延長電源プラグ  
５３：コネクター延長電源プラグ電極板  
５４：突出挿入端子  
５５：陷沒収容端子  
５６：延長コネクター部  
５９：コネクター延長電源プラグ挿入部  
６１：汎用メモリーカード  
６９：メモリーカード挿入部  
７１：螺子釘
【図１ａ】
2015521814.tif 000003
【図２ａ】
2015521814.tif 000004
【図３ａ】
2015521814.tif 000005
【図４ａ】
2015521814.tif 000006
【図５ａ】
2015521814.tif 000007
【図６ａ】
2015521814.tif 000008
【図７ａ】
2015521814.tif 000009
【図７ｂ】
2015521814.tif 000010
【国際調査報告】
2015521814.tif 000011
2015521814.tif 000012
2015521814.tif 000013
2015521814.tif 000014